(57)【要約】      （修正有）【課題】射出光軸に沿う方向で短縮化と小径化、さらに視野角の確保に優れた接眼光学系、並びに電子ビューファインダーを提供する。【解決手段】接眼光学系は、観察画像が形成される表示面側Ｉから射出側に向かって順に、正屈折力の第１レンズ成分Ｇ１と、反射面を１面のみ備えた反射部材Ｒと、負屈折力の第２レンズ成分Ｇ２と、正屈折力の第３レンズ成分Ｒ３と、を有する。ただし、レンズ成分は、光路中にて表示面側の屈折面と射出側の屈折面の２面のみが空気に接するレンズ体を意味する。【選択図】図１
2012093478.tif 000002
【特許請求の範囲】
【請求項１】
観察画像が形成される表示面側から射出側に向かって順に、
正屈折力の第１レンズ成分と、
反射面を１面のみ備えた反射部材と、
負屈折力の第２レンズ成分と、
正屈折力の第３レンズ成分と、を有することを特徴とする
接眼光学系。
ただし、レンズ成分は、光路中にて表示面側の屈折面と射出側の屈折面の２面のみが空気に接するレンズ体を意味する。
【請求項２】
前記第１レンズ成分、前記第２レンズ成分、前記第３レンズ成分の各々が単レンズであることを特徴とする
請求項１に記載の接眼光学系。
【請求項３】
以下の条件式（１）を満足することを特徴とする
請求項１または請求項２に記載の接眼光学系。
０．３＜  Ｄ１２／ＤＴ  ＜０．９  ・・・（１）
ただし、
Ｄ１２は、前記第１レンズ成分の射出側の屈折面から前記第２レンズ成分の表示面側の屈折面までの光軸に沿った距離、
ＤＴは、前記表示面から前記第３レンズ成分の射出側の屈折面までの光軸に沿った距離、であり、
前記第１レンズ成分、第２レンズ成分、第３レンズ成分以外の光学要素は空気換算長としたものであり、視度が変更可能な場合は、−１ディオプターでの値である。
【請求項４】
以下の条件式（２）を満足することを特徴とする
請求項１から請求項３の何れか１項に記載の接眼光学系。
０．５  ＜ｆ１／ｆ＜  ３．５  ・・・（２）
ただし、
ｆ１は、前記第１レンズ成分の焦点距離、
ｆは、前記接眼光学系の全系焦点距離であり、
視度が変更可能な場合は、−１ディオプターでの値である。
【請求項５】
前記第２レンズ成分は、視度調整のために移動可能であって、
以下の条件式（３）を満足することを特徴とする
請求項１から請求項４の何れか１項に記載の接眼光学系。
−３．０＜  ｆ２／ｆ  ＜−０．３  ・・・（３）
ただし、
ｆ２は、前記第２レンズ成分の焦点距離、
ｆは、前記接眼光学系の全系焦点距離であり、
視度が変更可能な場合は、−１ディオプターでの値である。
【請求項６】
以下の条件式（４）を満足することを特徴とする
請求項１から請求項５の何れか１項に記載の接眼光学系。
０．２  ＜  ｆ３／ｆ  ＜  ０．９９  ・・・（４）
ただし、
ｆ３は、前記第３レンズ成分の焦点距離、
ｆは、接眼光学系の全系焦点距離、
であり、視度が変更可能な場合は、−１ディオプターでの値である。
【請求項７】
以下の条件式（５）を満足することを特徴とする
請求項１から請求項６の何れか１項に記載の接眼光学系。
０．６５  ＜  ＳＦ１  ＜  ５．０  ・・・（５）
ただし、
ＳＦ１は第１レンズ成分のシェイプファクターであり、
第１レンズ成分の表示面側の屈折面の近軸曲率半径をｒ１１、第１レンズ成分の射出側の屈折面の近軸曲率半径をｒ１２としたときに、
ＳＦ１＝（ｒ１１＋ｒ１２）／（ｒ１１−ｒ１２）
で表される。
【請求項８】
以下の条件式（６）を満足することを特徴とする
請求項１から請求項７の何れか１項に記載の接眼光学系。
−４．５  ＜  ＳＦ２  ＜  −０．０５  ・・・（６）
ただし、
ＳＦ２は第２レンズ成分のシェイプファクターであり、
第２レンズ成分の表示面側の屈折面の近軸曲率半径をｒ２１、第１レンズ成分の射出側の屈折面の近軸曲率半径をｒ２２としたときに、
ＳＦ２＝（ｒ２１＋ｒ２２）／（ｒ２１−ｒ２２）
で表される。
【請求項９】
以下の条件式（７）を満足することを特徴とする
請求項１から請求項８の何れか１項に記載の接眼光学系。
−０．５  ＜  ＳＦ３  ＜  ０．２８  ・・・（７）
ただし、
ＳＦ３は第３レンズ成分のシェイプファクターであり、
第３レンズ成分の表示面側の屈折面の近軸曲率半径をｒ３１、第１レンズ成分の射出側の屈折面の近軸曲率半径をｒ３２としたときに、
ＳＦ３＝（ｒ３１＋ｒ３２）／（ｒ３１−ｒ３２）
で表される。
【請求項１０】
前記第２レンズ成分と前記第３レンズ成分は共に非球面を有することを特徴とする
請求項１から請求項９の何れか１項に記載の接眼光学系。
【請求項１１】
前記第１レンズ成分の射出側の屈折面は、表示面側の屈折面よりも屈折力の絶対値が大きい凸面であることを特徴とする
請求項１から請求項１０の何れか１項に記載の接眼光学系。
【請求項１２】
前記第２レンズ成分の表示面側の屈折面は、射出側の屈折面よりも屈折力の絶対値が大きい凹面であることを特徴とする
請求項１から請求項１１の何れか１項に記載の接眼光学系。
【請求項１３】
前記第３レンズ成分が両凸形状であることを特徴とする
請求項１から請求項１２の何れか１項に記載の接眼光学系。
【請求項１４】
映像を表示する前記表示面を持つ映像表示素子と、
請求項１から請求項１３の何れか１項に記載の接眼光学系と、を有することを特徴とする
電子ビューファインダー。
【発明の詳細な説明】
【技術分野】
【０００１】
本発明は、物体を拡大して肉眼で観察する接眼光学系に関するものであって、特に、反射面を備えた接眼光学系に関するものである。更には、主にカメラと一体又はカメラの外装に取り付けて撮影画像を観察可能とする電子ビューファインダーに関するものである。
【背景技術】
【０００２】
従来、カメラのファインダーとして対物光学系により実像を形成し、その実像を接眼光学系により観察するいわゆる実像式ビューファインダーが知られている。実像式ビューファインダーとしては、対物光学系としての撮影光学系によりスクリーンマット上に形成された画像をペンタダハプリズムと接眼光学系を介して観察するものや、撮影光学系とは光学的に独立したファインダーが知られている。
【０００３】
前者のファインダーは、ペンタダハプリズムを配置するスペースを要するため、撮影装置の小型化には不向きである。後者は撮影光学系の光軸とファインダーの対物レンズとの光軸とが離れているため、近距離撮影時においては撮影画像と観察画像との視差が生じてしまう。また、撮影光学系によるピント状態の確認にも不向きである。
【０００４】
最近では、電子表示素子の性能が向上したことで、デジタルカメラやデジタルビデオカメラの分野では、電子表示素子の表示面に表示された画像を接眼光学系で観察する電子ビューファインダーが主流になりつつある。
【０００５】
電子ビューファインダーは、撮影光学系によって撮像素子上に形成される撮影画像の信号を受信して被写体の観察画像を表示する。そのため、撮影画像と観察画像との視差が無く、撮影画像のピント状態も把握できる。加えて、電子表示素子の表示面から射出瞳までの距離を短くできるので、観察画像の視野の確保と小型化の両立に有利となる。
【０００６】
一方、電子ビューファインダーに用いる表示素子の厚みを考慮すると、光軸が直進の場合、表示素子の厚みがファインダーの光軸方向の大きさに影響する。特許文献１、２には、電子ビューファインダーの光路中に反射面を配置し、ファインダーの長さ方向を短くした電子ビューファインダーが開示されている。
【先行技術文献】
【特許文献】
【０００７】
【特許文献１】特開２００９−２８２１８１号公報
【特許文献２】特開２００５−８４２８４公報
【発明の概要】
【発明が解決しようとする課題】
【０００８】
特許文献１の電子ビューファインダーは、表示面のサイズが大きいため、視野角は確保できるものの、光学系の視野角に対する径方向のサイズが大きくなりやすい光学系の構成となっている。
【０００９】
特許文献２の電子ビューファインダーは、小型な構成ではあるが、負の屈折力のレンズが表示面側に配置されているため、この負レンズ以降の光束が太くなりやすくケラレが生じやすい光学系の構成となっている。
【課題を解決するための手段】
【００１０】
本発明はこのような課題に鑑みてなされたものであり、射出光軸に沿う方向での短縮化と小径化、視野角の確保に優れた接眼光学系を提供することを目的とするものである。更には、そのような接眼光学系を備えた電子ビューファインダーを提供することを目的とするものである。
【００１１】
上述の課題に鑑み、本発明は、小型化、アイポイントの確保、視野角の確保を行った場合においても、画質を確保しやすい電子ビューファインダーを提供することを目的とする。そのため、本発明の電子ビューファインダーは、以下の何れかの構成とするものである。
【００１２】
観察画像が形成される表示面側から射出側に向かって順に、
正屈折力の第１レンズ成分と、
反射面を１面のみ備えた反射部材と、
負屈折力の第２レンズ成分と、
正屈折力の第３レンズ成分と、を有することを特徴とする
接眼光学系。
ただし、レンズ成分は、光路中にて表示面側の屈折面と射出側の屈折面の２面のみが空気に接するレンズ体を意味する。
【００１３】
以下に、本発明に係る接眼光学系は、上記構成を採用する理由と作用効果を説明する。
【００１４】
本発明に係る接眼光学系は、光路中に反射面を１面のみ配置することで、光学系を射出する方向での光学系の長さを小さくでき、全長の短縮化に有利となる。また、反射面数を１面のみに抑えることで視野角の確保にも有利となる。
【００１５】
さらに、正屈折力の第１レンズ成分の収斂作用により、反射部材や第２レンズ成分における光束径を小さく抑えられ小径化に有利となる。負屈折力の第２レンズ成分は発散作用を担うが、この発散作用により第３レンズ成分での光束径を確保しやすくし、視野角の確保に有利となる。そして、正屈折力の第３レンズ成分での収斂作用により、視野角を大きくした状態で観察者の眼球側に光束を導くことが可能となる。収差補正上においても、正・負・正の屈折力配置を持つ構成となるので収差補正に有利となる。
【００１６】
さらに、反射部材の前後において光路が長くなることを考慮し、第１正レンズ成分と負レンズ成分間に反射部材を配置することで、接眼光学系の径方向の増大やケラレ等も抑えやすくなり、収差性能も含めて全体的なバランスを良好にできる。
【００１７】
本発明に係る接眼光学系において、さらに以下の構成のいずれか１つまたは複数を同時に満足することがより好ましい。
【００１８】
本発明に係る接眼光学系は、さらに前記第１レンズ成分、前記第２レンズ成分、前記第３レンズ成分の各々が単レンズであることを特徴としている。
【００１９】
前記第１レンズ成分、前記第２レンズ成分、前記第３レンズ成分の各々が単レンズにて構成することで小型化や低コスト化に有利となる。
【００２０】
本発明に係る接眼光学系は、さらに以下の条件式（１）を満足することを特徴としている。
０．３＜  Ｄ１２／ＤＴ  ＜０．９  ・・・（１）
ただし、
Ｄ１２は、前記第１レンズ成分の射出側の屈折面から前記第２レンズ成分の表示面側の
屈折面までの光軸に沿った距離、
ＤＴは、前記表示面から前記第３レンズ成分の射出側の屈折面までの光軸に沿った距離、であり、
前記第１レンズ成分、第２レンズ成分、第３レンズ成分以外の光学要素は空気換算長としたものであり、視度が変更可能な場合は、−１ディオプターでの値である。
【００２１】
条件式（１）は第１レンズ成分から第２レンズ成分までの好ましい距離を特定するものである。下限値０．３を下回らないようにして、全長を抑えながら反射面を配置するスペースを確保することが好ましい。また、上限値０．９を上回らないようにして、第１レンズ成分と第２レンズ成分の距離の増大を抑えることで、視野角確保に有利となる。なお、接眼光学系が視度調整可能な場合は、−１ディオプター時での値としている。以降に示す各構成についても同様に接眼光学系が視度調整可能な場合は、−１ディオプター時での値とする。
【００２２】
本発明に係る接眼光学系は、さらに以下の条件式（２）を満足することを特徴としている。
０．５  ＜ｆ１／ｆ＜  ３．５  ・・・（２）
ただし、
ｆ１は、前記第１レンズ成分の焦点距離、
ｆは、前記接眼光学系の全系焦点距離であり、
視度が変更可能な場合は、−１ディオプターでの値である。
【００２３】
下限値０．５を下回らないように、第１レンズ成分のパワーの過剰を抑えることで、像面湾曲及び歪曲収差の双方の収差を低減しやすくなる。上限値３．５を上回らないように第１レンズ成分のパワーを確保することで、第２レンズ成分での光束径を低減でき、小型化に有利となる。加えて、第２、第３レンズ成分での残存する収差（主に軸外収差）を補正する機能を確保しやすくなる。
【００２４】
本発明に係る接眼光学系は、さらに前記第２レンズ成分は、視度調整のために移動可能であって、以下の条件式（３）を満足することを特徴としている。
−３．０＜  ｆ２／ｆ  ＜−０．３  ・・・（３）
ただし、
ｆ２は、前記第２レンズ成分の焦点距離、
ｆは、前記接眼光学系の全系焦点距離であり、
視度が変更可能な場合は、−１ディオプターでの値である。
【００２５】
第２レンズ成分を視度調整のために移動させることで、塵の進入を抑えやすく構成できる。このとき、条件式（３）を満足することが好ましい。下限値−３．０を下回らないように、第２レンズのパワーを確保することで、視度調整時の第２レンズ成分の移動量を抑えやすくなりコンパクト化に有利となる。上限値−０．３を上回らないように、第２レンズ成分のパワーを適度に抑えることで、高次収差を低減しやすくなる。
【００２６】
本発明に係る接眼光学系は、さらに以下の条件式（４）を満足することを特徴としている。
０．２  ＜  ｆ３／ｆ  ＜  ０．９９  ・・・（４）
ただし、
ｆ３は、前記第３レンズ成分の焦点距離、
ｆは、接眼光学系の全系焦点距離、
であり、視度が変更可能な場合は、−１ディオプターでの値である。
【００２７】
条件式（４）の下限値０．２を下回らないように、第３レンズのパワーを適度に抑えることで、射出瞳を離しやすくなり、小型化に有利となる。また、上限値０．９９を上回らないように、第３レンズのパワーを確保することで、視野角の確保に有利となる。
【００２８】
本発明に係る接眼光学系は、さらに以下の条件式（５）を満足することを特徴としている。
０．６５  ＜  ＳＦ１  ＜  ５．０  ・・・（５）
ただし、
ＳＦ１は第１レンズ成分のシェイプファクターであり、
第１レンズ成分の表示面側の屈折面の近軸曲率半径をｒ１１、第１レンズ成分の射出側の屈折面の近軸曲率半径をｒ１２としたときに、
ＳＦ１＝（ｒ１１＋ｒ１２）／（ｒ１１−ｒ１２）
で表される。
【００２９】
条件式（５）の下限値０．６５を下回らないようにして、表示面側の面の屈折力が強い正屈折力にならないようにすることで、第２レンズ成分での光線入射高を確保しやすくなり、視野角及びアイポイントの確保に有利となる。また、上限値５．０を上回らないようにして、表示面側の面が強い負屈折力にならないようにすることで、光学系の全長のコンパクト化に有利となる。
【００３０】
本発明に係る接眼光学系は、さらに以下の条件式（６）を満足することを特徴としている。
−４．５  ＜  ＳＦ２  ＜  −０．０５  ・・・（６）
ただし、
ＳＦ２は第２レンズ成分のシェイプファクターであり、
第２レンズ成分の表示面側の屈折面の近軸曲率半径をｒ２１、第１レンズ成分の射出側の屈折面の近軸曲率半径をｒ２２としたときに、
ＳＦ２＝（ｒ２１＋ｒ２２）／（ｒ２１−ｒ２２）
で表される。
【００３１】
条件式（６）の下限値−４．５を下回らないようにすることで、表示側面での軸外収差発生を抑えつつ第３レンズ成分へ入射する軸外光線を高くでき、視野角の確保及びアイポイントの確保につながる。また、条件式（６）の上限値−０．０５を上回らないようにすることで、射出側面での軸外収差の発生を抑えやすくなるとともに、光学系の径の小型化に有利となる。
【００３２】
本発明に係る接眼光学系は、さらに以下の条件式（７）を満足することを特徴としている。
−０．５  ＜  ＳＦ３  ＜  ０．２８  ・・・（７）
ただし、
ＳＦ３は第３レンズ成分のシェイプファクターであり、
第３レンズ成分の表示面側の屈折面の近軸曲率半径をｒ３１、第１レンズ成分の射出側の屈折面の近軸曲率半径をｒ３２としたときに、
ＳＦ３＝（ｒ３１＋ｒ３２）／（ｒ３１−ｒ３２）
で表される。
【００３３】
条件式（７）の下限値−０．５を下回らないように、射出側面の屈折力を確保することで、視野角の確保に有利となる。また、条件式（７）の上限値０．２８を上回らないように、射出側面の屈折力を適度に抑えることで、アイポイントの確保につながる。
【００３４】
本発明に係る接眼光学系において、前記第２レンズ成分と前記第３レンズ成分は、共に非球面を有することを特徴としている。
【００３５】
第２レンズ成分と第３レンズ成分に共に非球面を持たせることで、高次の球面収差やコマ収差などの低減にいっそう有利となる。
【００３６】
本発明に係る接眼光学系において、さらに前記第１レンズ成分の射出側の屈折面は、表示面側の屈折面よりも屈折力の絶対値が大きい凸面であることを特徴としている。
【００３７】
第１レンズ成分の射出側の屈折面を、表示面側の屈折面よりも屈折力の絶対値が大きい凸面とすることで、第１レンズ成分に必要な正の屈折力の確保と収差補正の両立に有利となる。
【００３８】
本発明に係る接眼光学系において、前記第２レンズ成分の表示面側の屈折面は、射出側の屈折面よりも屈折力の絶対値が大きい凹面であることを特徴としている。
【００３９】
第２レンズ成分の表示面側の屈折面を、射出側の屈折面よりも屈折力の絶対値が大きい凹面とすることで、第２レンズ成分に必要な負の屈折力の確保と収差補正の両立に有利となる。
【００４０】
本発明に係る接眼光学系は、さらに前記第３レンズ成分が両凸形状であることを特徴としている。
第３レンズ成分が両凸形状とすることで、第３レンズ成分に必要な正の屈折力の確保と収差補正の両立に有利となる。
【００４１】
上述の各構成は複数を同時に満足することがより好ましい。
【００４２】
本発明に係る電子ビューファインダーは、映像を表示する前記表示面を持つ映像表示素子と、
前述した何れの接眼光学系と、を有することを特徴としている。
【００４３】
また、各条件式について、下限値、上限値を以下のように限定することで、機能をより確実にすることが可能となり、好ましい。
【００４４】
条件式（１）について、
下限値を、０．３５、更には０．４とすることがより好ましい。
上限値を、０．８更には０．７とすることがより好ましい。
【００４５】
条件式（２）について、
下限値を、０．７更には０．９とすることがより好ましい。
上限値を、３．０更には２．５とすることがより好ましい。
【００４６】
条件式（３）について、
下限値を、−２．０更には−１．５とすることがより好ましい。
上限値を、−０．４更には−０．５とすることがより好ましい。
【００４７】
条件式（４）について、
下限値を、０．３更には０．４とすることがより好ましい。
上限値を、０．９更には０．８とすることがより好ましい。
【００４８】
条件式（５）について、
下限値を、０．６８更には、０．７とすることがより好ましい。
下限値を、４．０更には３．５とすることがより好ましい。
【００４９】
条件式（６）について、下限値を、−３．５更には−３．０とすることがより好ましい。
上限値を、−０．１更には−０．１５とすることがより好ましい。
【００５０】
条件式（７）について、
下限値を、−０．３、更には−０．１５とすることがより好ましい。
上限値を、０．２６更には０．２４とすることがより好ましい。
【発明の効果】
【００５１】
本発明によれば、射出光軸に沿う方向で短縮化と小径化、さらに視野角の確保に優れた接眼光学系、並びに電子ビューファインダーを提供できる。
【図面の簡単な説明】
【００５２】
【図１】本発明の実施例１の接眼光学系を展開して光軸に沿ってとった断面図。
【図２】本発明の実施例２の接眼光学系を展開して光軸に沿ってとった断面図。
【図３】本発明の実施例３の接眼光学系を展開して光軸に沿ってとった断面図。
【図４】本発明の実施例４の接眼光学系を展開して光軸に沿ってとった断面図。
【図５】本発明の実施例５の接眼光学系を展開して光軸に沿ってとった断面図。
【図６】本発明の実施例６の接眼光学系を展開して光軸に沿ってとった断面図。
【図７】本発明の実施例７の接眼光学系を展開して光軸に沿ってとった断面図。
【図８】本発明の実施例８の接眼光学系を展開して光軸に沿ってとった断面図。
【図９】本発明の実施例１の接眼光学系の収差図。
【図１０】本発明の実施例２の接眼光学系の収差図。
【図１１】本発明の実施例３の接眼光学系の収差図。
【図１２】本発明の実施例４の接眼光学系の収差図。
【図１３】本発明の実施例５の接眼光学系の収差図。
【図１４】本発明の実施例６の接眼光学系の収差図。
【図１５】本発明の実施例７の接眼光学系の収差図。
【図１６】本発明の実施例８の接眼光学系の収差図。
【図１７】本発明に係る接眼光学系および電子ビューファインダーを用いた撮像装置。
【発明を実施するための形態】
【００５３】
図１〜図１６を用い、本発明の接眼光学系と電子ビューファインダーについて説明を行う。図１〜図８は、それぞれ実施例１〜実施例８の電子ビューファインダーを説明するための図である。各図において（ａ）は−１ディオプター時、（ｂ）は＋１ディオプター時、（ｃ）は−３ディオプター時の状態が示されている。また、図９〜図１６は、それぞれ実施例１〜実施例８に対応した接眼光学系の収差図を示した図である。
【００５４】
図１は、本発明の実施例１の電子ビューファインダーを展開して光軸に沿ってとった断面図である。
【００５５】
実施例１の電子ビューファインダーは、物体像が表示される液晶表示素子（ＬＣＤ）などの映像表示素子Ｉと、接眼光学系Ｏとを含んで構成されている。図中、Ｅはアイポイント（仮想絞り）、Ｃ１、Ｃ２はカバーガラスを示している。
【００５６】
接眼光学系Ｏは、映像表示素子Ｉが設置された表示面（物体側）から観察側（射出側）に向かって順に、第１レンズ成分Ｇ１、第２レンズ成分Ｇ２、第３レンズ成分Ｇ３、また、第１レンズ成分Ｇ１と第２レンズ成分Ｇ２の光路間にて光軸を９０°偏向させる反射面Ｒを有する反射部材とで構成されている。本実施形態における反射部材は表面反射板にて形成されている。
【００５７】
第１レンズ成分Ｇ１は、正屈折力を有する単レンズＬ１にて構成される。本実施例では射出側に凸面を向けた正メニスカス形状の単レンズＬ１である。
【００５８】
第２レンズ成分Ｇ２は、負屈折力を有する単レンズＬ２にて構成されている。本実施例では射出側に凸面を向けた負メニスカス形状の単レンズＬ２である。
【００５９】
第３レンズ成分Ｇ３は、正屈折力を有する単レンズＬ３にて構成されている。本実施例では表面面側と射出側の双方に凸面を向けた両凸単レンズＬ３である。
【００６０】
第１レンズ成分Ｇ１を構成するレンズＬ１の射出側ｒ４、及び、第２、第３レンズ成分Ｇ２、Ｇ３を構成するレンズＬ１、Ｌ２の両面ｒ５〜ｒ８は非球面形状となっている。
【００６１】
映像表示素子Ｉの表示面にはカバーガラスＣ１が設けられている。また、接眼光学系Ｏの射出側には射出窓部材Ｃ２が設けられており、光学系内部へ進入する塵を防いでいる。
【００６２】
視度調整は、第２レンズ成分Ｇ２（レンズＬ２）を光軸方向に移動させることで行われる。第１レンズ成分Ｇ１（レンズＬ１）、第３レンズ成分（レンズＬ３）はともに固定状態である。第２レンズ成分Ｇ２は、視度を増加させる場合には物体側に移動され、視度を減少させる場合には射出側に移動される。
【００６３】
図２〜図８は、それぞれ実施例２〜実施例８についての電子ビューファインダーを展開して光軸に沿ってとった断面図である。これら実施例の接眼光学系の構成は、実施例１で説明した構成と略同様である。なお、図５〜図８に示される実施例６〜実施例８は、反射面Ｒを有する反射部材として、裏面反射する反射面Ｒを有する直角プリズムを採用している点において、実施例１〜実施例５と異なっている。
【００６４】
以下に上記実施例１〜８の各種数値データ（面データ、非球面データ、可変間隔データ、各種データ１、各種データ２）を示す。
【００６５】
面データには、面番号毎に各レンズ面（光学面）の曲率半径ｒ、面間隔ｄ、各レンズ（光学媒質）のｄ線（５８７．６ｎｍ）に対する屈折率ｎｄ、各レンズ（光学媒質）のｄ線のアッベ数νｄが示されている。曲率半径ｒ、面間隔ｄの単位はいずれもミリメートル（ｍｍ）である。面データ中、面番号の右側に付されたアスタリスク"＊"は、そのレンズ面が非球面形状であることを、また、曲率半径に記載する"ＩＮＦ"は、無限大であることを示している。
【００６６】
非球面データには、面データ中、非球面形状としたレンズ面に関するデータが示されている。非球面形状は、ｘを光の進行方向を正とした光軸とし、ｙを光軸と直交する方向にとると下記の式にて表される。
ｘ＝（ｙ2／ｒ）／［１＋｛１−（Ｋ＋１）（ｙ／ｒ）2｝1/2］
＋Ａ４ｙ4＋Ａ６ｙ6＋Ａ８ｙ8＋Ａ１０ｙ10＋…
ただし、ｒは近軸曲率半径、Ｋは円錐係数、Ａ４、Ａ６、Ａ８、Ａ１０はそれぞれ４次、６次、８次、１０次の非球面係数である。なお、記号"Ｅ"は、それに続く数値が１０を
底にもつ、べき指数であることを示している。例えば「１．０Ｅ−５」は「１．０×１０-5」を意味している。
【００６７】
可変間隔データは、視度調整において、第２レンズ成分Ｇ２の移動によって変化する面間隔ｄを示したデータであって、−１ディオプター時、＋１ディオプター時、−３ディオプター時の値が示されている。単位は面間隔ｄと同様、ミリメートル（ｍｍ）としている。
【００６８】
各種データ１には、第２レンズ成分Ｇ２の移動によって変化する接眼光学系Ｏの視野角と、接眼光学系全系の焦点距離が各視度毎に示されている。視野角には度数法による角度単位（ｄｅｇ）が用いられ、焦点距離の単位はミリメートル（ｍｍ）としている。
【００６９】
各種データ２には、第１レンズ成分Ｇ１の焦点距離Ｆ１、第２レンズ成分Ｇ２の焦点距離Ｆ２、第３レンズ成分Ｇ３の焦点距離Ｆ３、全長、瞳径、表示面最大高が示されている。いずれの単位もミリメートル（ｍｍ）としている。なお、全長は、−１ディオプター時における映像表示素子Ｉの表示面から射出窓部材Ｃ２の射出側の面までの距離である。
【００７０】
各実施例では、第２レンズ成分Ｇ２と第３レンズ成分Ｇ３との距離が近いため、第２レンズ成分Ｇ２の射出側面と第３レンズ成分Ｇ３の物体側面で、コマ収差、球面収差、歪曲収差、非点収差を効率良く補正することが可能となる。
【００７１】
さらに、各実施例では、第１レンズ成分Ｇ１と第２レンズＧ２成分との距離が長いため、第２レンズ成分Ｇ２、第３レンズ成分Ｇ３の合成系では補正しきれない残存収差の補正を、第１レンズ成分Ｇ１にて補正することが可能となる。収差補正の観点から第１レンズ成分Ｇ１と第２レンズ成分Ｇ２の間隔を空けるほうが収差補正上有利となる。
【００７２】
さらに、各実施例では、反射面Ｒを第１レンズ成分Ｇ１と第２レンズ成分Ｇ２との間に配置しているので、収差補正の有利性を確保するとともに、射出する方向における短縮（小型）化の双方を行うことを可能としている。
【００７３】
数値実施例１
単位      ｍｍ
面データ
面番号              ｒ             ｄ           ｎｄ         νｄ
1（表示面）     INF            1.2        1.51633        64.14
2               INF         3.0104
3          -42.8035         4.8686         1.5311        55.91
4*         -13.2295      D1（可変）
5*         -10.6971         1.0000        1.63493        23.90
6*         -42.9566      D2（可変）
7*          16.5376         6.9358         1.5311        55.91
8*         -15.6307            0.5
9               INF              1        1.51633        64.14
10               INF          10.63
11（仮想絞り）   INF
非球面データ
第４面
K=0
A4＝3.6139E-05
A6＝-3.2921E-07
A8＝1.7284E-09
第５面
K=0.0778
A4＝6.8222E-04
A6＝-1.0265E-05
A8＝1.5609E-07
A10＝-2.4958E-09
第６面
K=2.9954
A4＝5.2026E-04
A6＝-7.0379E-06
第７面
K=1.4668
A4＝-1.1340E-04
A6＝1.1113E-07
第８面
K=-1.1538
A4＝4.6687E-05
A6＝-5.7404E-07
A8＝1.2553E-08
可変間隔データ
視度               -1           +1           -3
D1（可変）   14.95511     14.26430     15.63614
D2（可変）    1.04941      1.74022      0.36838
各種データ１
視度               -1           +1           -3
視野角          26.32        26.64        26.02
焦点距離      25.6333      25.2998      25.9212
各種データ２
F1            34.1050
F2           -22.7077
F3            16.3533
全長            34.52
瞳径                8
表示面最大高        6
【００７４】
数値実施例２
単位      ｍｍ
面データ
面番号              ｒ             ｄ           ｎｄ         νｄ
1（表示面）    INF             1.2        1.51633        64.14
2              INF          5.2284
3         100.0162          3.8106         1.5311        55.91
4*         -16.2113       D1（可変）
5*         -9.2408          1.2275        1.58423        30.49
6*        -29.8584        D2（可変）
7*         18.6248          4.7108         1.5311        55.91
8*        -16.0712             0.5
9              INF               1        1.51633        64.14
10              INF           10.63
11（仮想絞り）  INF
非球面データ
第４面
K=0
A4＝-1.7492E-05
A6＝1.4131E-06
A8＝-1.2801E-08
第５面
K=0.1
A4＝8.4385E-04
A6＝-8.5325E-06
A8＝6.2522E-08
A10＝-7.7310E-10
第６面
K=3.3033
A4＝5.9983E-04
A6＝-6.8893E-06
第７面
K=1.5701
A4＝-7.0983E-05
A6＝2.4440E-07
第８面
K=-1.1551
A4＝8.0714E-05
A6＝-1.4121E-06
A8＝2.0254E-08
可変間隔データ
視度               -1           +1           -3
D1（可変）   16.30199     15.58175     17.00795
D2（可変）    1.09722      1.81746      0.39126
各種データ１
視度               -1           +1           -3
視野角          26.09        26.30         25.9
焦点距離      25.7209      25.8146      25.5676
各種データ２
F1            26.5687
F2           -23.4206
F3            17.0465
全長            35.08
瞳径                8
表示面最大高        6
【００７５】
数値実施例３
単位      ｍｍ
面データ
面番号              ｒ             ｄ           ｎｄ         νｄ
1（表示面）     INF            1.2        1.51633        64.14
2               INF         6.4401
3          100.0119         4.6297         1.5311        55.91
4*         -16.1376      D1（可変）
5*          -9.8072              1        1.58423        30.49
6*         -21.7116      D2（可変）
7*          21.4061         4.7108         1.5311        55.91
8*         -19.2907            0.5
9               INF              1        1.51633        64.14
10               INF          10.63
11（仮想絞り）   INF
非球面データ
第４面
K=0
A4＝2.2869E-05
A6＝8.2948E-07
A8＝-8.9105E-09
第５面
K=0.0726
A4＝1.2808E-03
A6＝-1.9375E-05
A8＝1.8191E-07
A10＝-2.2575E-09
第６面
K=3.3025
A4＝1.0328E-03
A6＝-1.2921E-05
第７面
K=1.7661
A4＝-7.9612E-05
A6＝8.5137E-07
第８面
K=-1.1497
A4＝3.7413E-05
A6＝-1.6633E-06
A8＝3.2299E-08
可変間隔データ
視度               -1           +1           -3
D1（可変）   16.28951     15.28172     17.27129
D2（可変）    1.43947      2.44726      0.45768
各種データ１
視度               -1           +1           -3
視野角          25.95        26.09        25.82
焦点距離      25.8661      26.0552      25.6010
各種データ２
F1            26.5303
F2           -29.1209
F3            19.9043
全長            37.21
瞳径                8
表示面最大高        6
【００７６】
数値実施例４
単位      ｍｍ
面データ
面番号              ｒ             ｄ           ｎｄ         νｄ
1（表示面）     INF            1.2        1.51633        64.14
2               INF         7.1972
3           99.7010         4.8785         1.5311        55.91
4*         -15.5259      D1（可変）
5*         -21.1742         1.5140        1.58423        30.49
6*          29.9717      D2（可変）
7*          15.4538         4.7108         1.5311        55.91
8*         -18.3719            0.5
9               INF              1        1.51633        64.14
10               INF          10.63
11（仮想絞り）   INF
非球面データ
第４面
K=0
A4＝3.4162E-05
A6＝7.6389E-07
A8＝-6.7238E-09
第５面
K=0.0096
A4＝4.4351E-04
A6＝-6.9324E-06
A8＝5.7363E-08
A10＝-6.5437E-10
第６面
K=3.2945
A4＝3.0564E-04
A6＝-4.7336E-06
第７面
K=1.4259
A4＝-1.0151E-04
A6＝-1.0576E-06
第８面
K=-1.1652
A4＝6.4888E-05
A6＝-1.9149E-06
A8＝1.7688E-08
可変間隔データ
視度               -1           +1           -3
D1（可変）   16.16742     15.53037     16.79764
D2（可変）    1.09033      1.72737      0.46011
各種データ１
視度               -1           +1           -3
視野角          26.12        26.30        25.64
焦点距離      25.6928      25.8901      25.4426
各種データ２
F1            25.6716
F2           -21.0091
F3            16.6062
全長            38.26
瞳径                8
表示面最大高        6
【００７７】
数値実施例５
単位      ｍｍ
面データ
面番号              ｒ             ｄ           ｎｄ         νｄ
1（表示面）     INF            1.2        1.51633        64.14
2               INF         1.9149
3          -40.4324         2.7101         1.5311        55.91
4*         -13.7943      D1（可変）
5*          -8.4978            1.8        1.58423        30.49
6*         -31.9916      D2（可変）
7*          19.2843         4.7108         1.5311        55.91
8*         -12.3869            0.5
9               INF              1        1.51633        64.14
10               INF          10.63
11（仮想絞り）   INF
非球面データ
第４面
K=30.5132
A4＝1.7800E-04
A6＝1.8101E-06
第５面
K=0.4498
A4＝4.3954E-05
A6＝6.1075E-06
A8＝3.7898E-08
A10＝2.6573E-09
第６面
K=3.1461
A4＝-9.7513E-05
A6＝3.2423E-06
第７面
K=1.8798
A4＝-6.4692E-05
A6＝1.3465E-07
第８面
K=-1.1552
A4＝7.6612E-05
A6＝1.8352E-07
可変間隔データ
視度               -1           +1           -3
D1（可変）   15.17168     14.56704     15.76566
D2（可変）    1.08220      1.68683      0.48822
各種データ１
視度               -1           +1           -3
視野角          26.37        26.71        26.05
焦点距離      25.5988      25.1140      26.0520
各種データ２
F1            25.5988
F2            25.1140
F3            26.0521
全長            30.09
瞳径                8
表示面最大高        6
【００７８】
数値実施例６
単位      ｍｍ
面データ
面番号              ｒ             ｄ           ｎｄ         νｄ
1（表示面）     INF            2.2        1.51633        64.14
2               INF         1.7179
3          -24.8000         2.6577         1.5311        55.91
4*         -13.6244            0.3
5               INF           14.3        1.51680         64.2
6               INF       D1（可変）
7*          -8.0864         1.5879        1.58423        30.49
8*         -49.8787       D2（可変）
9*          14.0228              6         1.5311        55.91
10*         -12.4951            0.5
11               INF              1        1.51633        64.14
12               INF          10.63
13（仮想絞り）   INF
非球面データ
第４面
K=0
A4＝6.0738E-05
A6＝-1.6702E-06
第７面
K=0.1344
A4＝4.1616E-04
A6＝-8.1728E-06
A8＝1.8980E-07
A10＝1.1916E-09
第８面
K=0
A4＝9.5207E-05
A6＝-4.0670E-06
A8＝6.8437E-08
第９面
K=0.6244
A4＝-6.4692E-05
A6＝2.1669E-06
第１０面
K=-1.2482
A4＝6.4885E-05
A6＝3.8895E-07
A8=1.7318E-08
可変間隔データ
視度               -1           +1           -3
D1（可変）    3.30044      2.83570      3.75783
D2（可変）    1.04059      1.50533      0.58320
各種データ１
視度               -1           +1           -3
視野角          29.79        30.23        29.37
焦点距離      25.0809      24.2911      25.8862
各種データ２
F1            52.5897
F2           -16.7540
F3            13.5007
全長            34.60
瞳径                8
表示面最大高      6.6
【００７９】
数値実施例７
単位      ｍｍ
面データ
面番号              ｒ             ｄ           ｎｄ         νｄ
1（表示面）     INF            2.2        1.51633        64.14
2               INF         2.1639
3          -27.6995         3.0245         1.5311        55.91
4*         -13.3307         0.3000
5               INF        14.3042        1.51680        64.20
6               INF      D1（可変）
7*         -11.7762         1.8990        1.58423        30.49
8*          54.0346      D2（可変）
9*          12.4124              6         1.5311        55.91
10*         -12.0290            0.5
11               INF              1        1.51633        64.14
12               INF          10.63
13（仮想絞り）   INF
非球面データ
第４面
K=0
A4＝6.9761E-05
A6＝-9.8963E-07
第７面
K=0.1548
A4＝1.0090E-04
A6＝-5.0657E-06
A8＝1.0693E-07
A10＝-4.3229E-10
第８面
K=0
A4＝-6.0848E-05
A6＝-1.0241E-06
A8＝2.1110E-08
第９面
K=0.4197
A4＝-2.9642E-04
A6＝2.5830E-06
A8＝2.1110E-08
第１０面
K=-1.1552
A4＝1.8040E-05
A6＝8.4076E-07
A8=-1.8138E-09
可変間隔データ
視度               -1           +1           -3
D1（可変）    2.85122      2.46201      3.22834
D2（可変）    0.77761      1.16682      0.40049
各種データ１
視度               -1           +1           -3
視野角          30.30        30.75        29.88
焦点距離      24.5508      23.8638      25.2339
各種データ２
F1            45.0947
F2           -15.0596
F3            12.5729
全長            35.02
瞳径                8
表示面最大高      6.6
【００８０】
数値実施例８
単位      ｍｍ
面データ
面番号              ｒ             ｄ           ｎｄ         νｄ
1（表示面）     INF            2.2        1.51633        64.14
2               INF         2.1695
3          -28.3727         2.9929         1.5311        55.91
4*         -13.3710            0.3
5               INF           14.3        1.51680        64.20
6               INF       D1（可変）
7*         -10.3792         1.9513        1.58423        30.49
8*          54.4116       D2（可変）
9*          12.6148              6         1.5311        55.91
10*         -11.7019            0.5
11               INF              1        1.51633        64.14
12               INF          10.63
13（仮想絞り）   INF
非球面データ
第４面
K=0
A4＝7.4613E-05
A6＝-1.2842E-06
第７面
K=0.1548
A4＝1.9589E-04
A6＝-6.7688E-06
A8＝4.2887E-08
A10＝1.2388E-09
第８面
K=0
A4＝-3.0889E-05
A6＝-3.3612E-06
A8＝4.7873E-08
第９面
K=0.4191
A4＝-3.3388E-04
A6＝2.6730E-06
A8＝-9.3189E-09
第１０面
K=-1.2504
A4＝5.2741E-06
A6＝3.2098E-07
A8= 1.2267E-08
可変間隔データ
視度               -1           +1           -3
D1（可変）    2.89086      2.51790      3.26602
D2（可変）    0.67841      1.05138      0.30326
各種データ１
視度               -1           +1           -3
視野角          30.17        30.60        29.76
焦点距離      24.6935      24.0164      25.3922
各種データ２
F1            44.5333
F2           -14.7557
F3            12.5001
全長            34.98
瞳径                8
表示面最大高      6.6
【００８１】
以上の実施例１〜実施例８の収差図をそれぞれ図９〜図１６に示す。これら収差図において（ａ）は−１ディオプター時、（ｂ）は＋１ディオプター時、（ｃ）は−３ディオプター時の球面収差（ＳＡ）、非点収差（ＡＳ）、歪曲収差（ＤＴ）、倍率色収差（ＣＣ）を示す。なお、各図中、"φ"は瞳径を、"ＦＩＹ"は表示面最大高を示している。
【００８２】
上記実施例１〜実施例８について、各条件式（１）〜条件式（７）の値を下記に示しておく。
【００８３】
実施例１     実施例２     実施例３     実施例４
条件式（1）D12/DT       0.459        0.491        0.461        0.445
条件式（2）ｆ1/ｆ       1.330        1.033        1.026        0.999
条件式（3）f2/f        -0.886       -0.911       -1.126       -0.818
条件式（4）f3/f         0.638        0.663        0.770        0.646
条件式（5）SF1          1.895        0.721        0.722        0.731
条件式（6）SF2         -1.663       -1.896       -2.648       -0.172
条件式（7）SF3          0.028        0.074        0.052       -0.086
実施例５     実施例６     実施例６     実施例７
条件式（1）D12/DT       0.538        0.474        0.681        0.685
条件式（2）ｆ1/ｆ       1.488        2.097        1.837        1.803
条件式（3）f2/f        -0.796       -0.668       -0.613       -0.598
条件式（4）f3/f         0.585        0.538        0.512        0.506
条件式（5）SF1          2.036        3.438        2.856        2.783
条件式（6）SF2         -1.723       -1.387       -0.642       -0.680
条件式（7）SF3          0.218        0.058        0.016        0.038
【００８４】
図１７は、本発明の電子ビューファインダーを用いた撮像装置の一例であるデジタルカメラの構成を示す図である。図１７において、符号１０は撮像装置であるデジタルカメラで、撮像光学系１と、フィルター２と、撮像素子３と、コントローラー４と、内蔵メモリー５と、電子ビューファインダー６と、インターフェイス７とより構成されている。
【００８５】
上記撮像装置において、撮像光学系１は複数の光学素子（レンズ等）にて構成されている。物体より発した光は、この撮像光学系１により集光され、この集光位置に物体像が形成される。そして、この集光位置には、ＣＣＤ等の撮像素子３（受光面）が配置されている。撮像素子３は、規則正しく配置された光電変換素子の集まりよりなっている。また、モアレ現象の発生を防止するために、ローパス効果を持つフィルター２が撮像光学系１と撮像素子３の間に配置されている。また、赤外光をカットするための赤外カットフィルターを配置することもある。
【００８６】
撮像素子３に入射した光束は、その光電変換素子により電気信号（画像信号）に変換される。この電気信号は、コントローラー４に入力される。ここで、コントローラー４により、ガンマー補正や画像圧縮処理等の信号処理が電気信号に対して行なわれる。信号処理
が施された電気信号は、内蔵メモリー５やインターフェイス７を介してパーソナルコンピューター９等に出力される。
【００８７】
電子ビューファインダー６は、照明系、画像表示素子（図１７には示していない）及び接眼光学系（接眼レンズ）等で構成されている。ここで、接眼光学系には、本実施形態の接眼光学系が用いられている。また、表示面には、画像表示素子が配置されている。この画像表示素子は、コントローラー４によって制御されている。このような構成により、電子ビューファインダー６では、撮像しようとする物体の像や撮像された画像を観察者が観察し得るようになっている。また、内蔵メモリー５から補助メモリー８へ画像データを送ることできる。一方、インターフェイス７からは同じ画像データをパーソナルコンピューター９へ送ることができる。
【００８８】
以上、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【００８９】
１…撮像光学系
２…フィルター
３…撮像素子
４…コントローラー
５…内蔵メモリー
６…電子ビューファインダー
７…インターフェイス
８…補助メモリー
９…パーソナルコンピューター
１０…撮像装置（デジタルカメラ）
【図１】
2012093478.tif 000003
【図２】
2012093478.tif 000004
【図３】
2012093478.tif 000005
【図４】
2012093478.tif 000006
【図５】
2012093478.tif 000007
【図６】
2012093478.tif 000008
【図７】
2012093478.tif 000009
【図８】
2012093478.tif 000010
【図９】
2012093478.tif 000011
【図１０】
2012093478.tif 000012
【図１１】
2012093478.tif 000013
【図１２】
2012093478.tif 000014
【図１３】
2012093478.tif 000015
【図１４】
2012093478.tif 000016
【図１５】
2012093478.tif 000017
【図１６】
2012093478.tif 000018
【図１７】
2012093478.tif 000019